(57)【要約】      （修正有）【課題】タンブラー本体と内筒との間に熱膨張や冷却収縮が発生しても、両者の相対位置が変わらず、堅固性を大幅に向上させた組合せ内筒の保温容器を提供する。【解決手段】保温容器は、タンブラー本体１０と、内筒２０と、被嵌部材３０と、タンブラー用蓋４０とを備える。タンブラー本体には、格納空間が周設され、開放端１２が形成され、開放端の内縁に内栓部１３が設けられる。内筒には、受容空間が周設され、広口端２２が形成され、内筒がタンブラー本体の格納空間内に嵌め込まれ、広口端に外ネジ山２３が設けられ、外ネジ山の下方に接合部２４を有する。被嵌部材が内筒の接合部に組み付けられ、被嵌部材の外表面に外栓部３１を有し、外栓部とタンブラー本体の内栓部とが組み付けられる。タンブラー用蓋は、辺縁から下向きに周壁４１が延在し、内ネジ山が設けられ、内ネジ山と内筒の外ネジ山とが螺締方式で可動的に開け閉めされる。【選択図】図２
0003228050.tif 000002
【実用新案登録請求の範囲】
【請求項１】
タンブラー本体と、内筒と、被嵌部材と、タンブラー用蓋とを備える組合せ内筒の保温容器であって、
前記タンブラー本体には、格納空間が周設され、かつ開放端が形成され、また前記開放端の内縁に内栓部が設けられ、
前記内筒には、受容空間が周設され、かつ広口端が形成され、前記内筒が前記タンブラー本体の前記格納空間内に嵌め込まれ、また広口端に外ネジ山が設けられ、前記外ネジ山の下方に接合部を有し、
前記被嵌部材が前記内筒の前記接合部に組み付けられ、かつ前記被嵌部材の外表面に外栓部を有し、前記外栓部と前記タンブラー本体の前記内栓部とが組み付けられ、
前記タンブラー用蓋は、辺縁から下向きに周壁が延在し、かつ断面が下向きコ字状を呈するように形成され、前記タンブラー用蓋に内ネジ山が設けられ、前記内ネジ山と前記内筒の前記外ネジ山とが螺締方式で可動的に開け閉めされることを特徴とする、組合せ内筒の保温容器。
【請求項２】
前記タンブラー本体の前記内栓部がねじ込み式または旋回係止式である場合、相対的に前記被嵌部材の前記外栓部が前記内栓部に合致することを特徴とする、請求項１に記載の組合せ内筒の保温容器。
【請求項３】
前記広口端の前記外ネジ山が前記広口端の外縁に位置し、また前記タンブラー用蓋の前記内ネジ山が前記タンブラー用蓋の前記周壁の内縁に位置することで、前記広口端と前記タンブラー用蓋とを相互に合致させることを特徴とする、請求項１または請求項２に記載の組合せ内筒の保温容器。
【請求項４】
前記内筒及び前記タンブラー本体は、ガラス材質またはセラミックス材質からなり、前記タンブラー本体は、プラスチック材質または金属材質からなるか、あるいは前記タンブラー本体を二重層態様とし、かつ前記二重層態様の内外層は、プラスチック及び金属を含む２種の材質を同材質で配置する形態または異材質で配置する形態であることを特徴とする、請求項３に記載の組合せ内筒の保温容器。
【請求項５】
前記接合部に凸部を有し、また前記被嵌部材に前記凸部に合致する凹溝を有することで、前記被嵌部材を前記内筒に嵌入させることにより、前記凹溝を前記凸部に係止させることを特徴とする、請求項４に記載の組合せ内筒の保温容器。
【考案の詳細な説明】
【技術分野】
【０００１】
本考案は、組合せ内筒に係り、特に、組合せ内筒の保温容器の斬新な構造形態の開示に関するものである。
【背景技術】
【０００２】
飲料物の温度が失われることを防止するために、人々は、内外二重層に嵌装して組み合わせる保温容器本体へ飲料物を収容すると共に、合わせる蓋体で密封して蓋閉じがなされ、氷を入れて冷却したり、あるいは加熱したりする飲料物を屋外で携帯した際には、保冷及び保温の飲料物を依然として容易に飲用することができる。
【０００３】
現今、保温容器は、セラミックス材質からなる内筒及び金属材質からなる外装ケースとを組み合わせてなるものである。しかしながら、前述の組合せ方式は２種類の方式に大別することができる。その１種類目は、前記内筒を前記外装ケースで被覆すると共に、前記外装ケースと前記内筒との接合箇所の下方空間を発泡体で粘着密封し、かつ前記内筒の開口箇所が前記外装ケースの開口箇所上に跨設される方式である。その２種類目は、前記内筒に前記内筒の開口箇所の下方に位置する嵌合部が設けられることで、前記内筒を前記外装ケースの内部に嵌入させるとき、前記嵌合部を介して前記外装ケースの開口箇所に嵌合されると共に、前記内筒を支持する方式である。
【０００４】
ただし、この種の構造形態は、実際の使用経験において、依然として下記の問題点が存在することが発見された。例を挙げて言えば、上記の１種類目では、前記外装ケースと前記内筒との接合箇所の下方空間を発泡体で粘着密封し、もし、保温容器に冷水を充填したり、あるいはお湯を充填したりして温度が異なると、内筒と外装ケースとは、異なる性質を持つ材料からなるので、温度変化による膨張収縮程度が不一致になるため、接合箇所の下方空間が膨張したり収縮したりして押潰されてしまい、発泡体の粘着密封効果が破壊されること、または内筒と外装ケースとの間の嵌合部の密着性が破壊されることで、内筒を弛緩抜脱し易くなる問題、及び前記内筒の開口箇所が前記外装ケースの開口箇所上に跨設され、両者の開口箇所の間に間隙を有し、時間が経つにつれて、両者の開口箇所の間の間隙に雑菌繁殖と隠れ汚れが容易に生じるなどの問題があった。一方、上記の２種類目では、前記内筒の嵌合部を介して前記外装ケースの開口箇所に嵌合され、これにより内筒の開口箇所が前記外装ケースの開口箇所から離間しているので、１種類目の両者の開口箇所の間の間隙に雑菌繁殖と隠れ汚れが容易に生じるなどの問題を解決することになるが、もし、保温容器に冷水を充填したり、あるいはお湯を充填したりして温度が異なると、内筒と外装ケースとは、異なる性質を持つ材料からなるので、温度変化による膨張収縮程度が不一致になるため、接合箇所の下方空間が膨張したり収縮したりして押潰されてしまい、内筒と外装ケースとの間の嵌合部の密着性が破壊されることで、内筒を弛緩抜脱し易くなる問題、及び前記内筒の開口箇所が前記外装ケースの開口箇所上に跨設され、堅固ではなく、弛緩抜脱し易くなる問題があった。
【０００５】
そこで、上述したような従来の構造に存在する問題点について、如何にしてより理想的で実用性のある斬新な構造を開発するかが、確実に使用者に強く求められていることであり、また、関連業者が鋭意思案を重ねて突破すべき目標と方向でもある。これに鑑みて、考案者は、長年に亘って従事してきた関連製品の製造開発や設計経験に基づき、上記の目標について緻密に設計すると共に、慎重に検討した結果、遂に確かな実用性を持つ本考案が案出された。
【考案の概要】
【考案が解決しようとする課題】
【０００６】
本考案は、組合せ内筒の保温容器を提供することを主な目的とし、その解決しようとする技術的課題は、如何にしてより理想的で実用性のあるオリジナルな組合せ内筒の保温容器の構造形態を研究開発するかを目標として革新突破を思案することである。
【課題を解決するための手段】
【０００７】
前述の目的に基づいて、本考案は、組合せ内筒の保温容器を提供し、主にタンブラー本体と、内筒と、被嵌部材と、タンブラー用蓋とを備え、タンブラー本体には、格納空間が周設され、かつ開放端が形成され、また開放端の内縁に内栓部が設けられ、内筒には、受容空間が周設され、かつ広口端が形成され、その内、内筒がタンブラー本体の格納空間内に嵌め込まれ、また広口端に外ネジ山が設けられ、外ネジ山の下方に接合部を有し、被嵌部材が内筒の接合部に組み付けられ、かつ被嵌部材の外表面に外栓部を有し、外栓部とタンブラー本体の内栓部とが組み付けられ、タンブラー用蓋は、辺縁から下向きに周壁が延在し、かつ断面が下向きコ字状を呈するように形成され、タンブラー用蓋に内ネジ山が設けられ、内ネジ山と内筒の外ネジ山とが螺締方式で可動的に開け閉めされる。
【考案の効果】
【０００８】
このような斬新な独特の形態と技術的特徴によれば、本考案は、従来の技術に比べて、前記内筒の接合部と前記被嵌部材の環凹溝とを相互係止することにより、前記被嵌部材の外栓部と前記タンブラー本体の内栓部との組み付けを可能にし、これにより前記タンブラー本体と前記内筒との間に温度影響を受けて生じる熱による膨張や冷却による収縮の問題が発生しても、依然として前述の両者の間で組み合わせる相対位置が変わらないまま、従って堅固性を大幅に向上させるという実用進歩性を達成することができる。
【０００９】
本考案は、組合せ内筒の保温容器を提供することを別の目的とし、さらに前記内筒の広口端の下方に接合部が設けられることにより、前記接合部の環状凸部と前記被嵌部材の環凹溝との相互係止を可能にし、これにより前記内筒と前記タンブラー本体との間の間隙を前記環状凸部の下方に移動させることで、前記内筒の広口端を飲用者の口部と接触させ、雑菌繁殖と隠れ汚れが生じにくくなり、従って清浄度を大幅に向上させること、及び安全衛生を大幅に向上させるという実用進歩性を達成することができる。
【図面の簡単な説明】
【００１０】
【図１】本考案の構造の好適な実施形態の組合せ斜視図である。
【図２】本考案の構造の好適な実施形態の分解斜視図である。
【図３】本考案の構造の好適な実施形態の組合せ断面図である。
【図４】図３の一部拡大図である。
【図５】本考案の第１実施形態の組合せ断面図である。
【図６】図５の一部拡大図である。
【図７】本考案のタンブラー本体の内栓部の旋回係止式の一部拡大図である。
【考案を実施するための形態】
【００１１】
図１〜図４を参照し、これらの図に示すのは、本考案の組合せ内筒の保温容器の好適な実施形態だが、これらの実施形態は説明のみに用いられるもので、実用新案登録請求の際、それらの構造に制限されないものとする。
【００１２】
前述の組合せ内筒の保温容器は、タンブラー本体１０と、内筒２０と、被嵌部材３０と、タンブラー用蓋４０とを備え、タンブラー本体１０には、格納空間１１が周設され、かつ開放端１２が形成され、また前記開放端１２の内縁に内栓部１３が設けられ、内筒２０には、受容空間２１が周設され、かつ広口端２２が形成され、その内、前記内筒２０が前記タンブラー本体１０の格納空間１１内（一方、受容空間２１には液体を充填）に嵌め込まれ、また広口端２２に外ネジ山２３が設けられ、前記外ネジ山２３の下方に接合部２４を有し、被嵌部材３０が前記内筒２０の接合部２４に組み付けられ、かつ前記被嵌部材３０の外表面に外栓部３１を有し、前記外栓部３１と前記タンブラー本体１０の内栓部１３とが組み付けられ、タンブラー用蓋４０は、辺縁から下向きに周壁４１が延在し、かつ断面が下向きコ字状を呈するように形成され、前記タンブラー用蓋４０に内ネジ山４２が設けられ、前記内ネジ山４２と前記内筒２０の外ネジ山２３とが螺締方式で可動的に開け閉めされる。また、前記内筒２０及び前記タンブラー本体１０は、ガラス材質またはセラミックス材質からなり、そして前記タンブラー本体１０は、プラスチック材質または金属材質からなる。
【００１３】
その内、前記タンブラー本体１０をさらに二重層態様とし、かつ前述の二重層態様の内外層は、プラスチック及び金属を含む２種の材質を同材質で配置する形態または異材質で配置する形態である。以上述べたことは、主として前記タンブラー本体１０の内外層は、いずれもプラスチック材質または金属材質からなってもよいこと、あるいは前記タンブラー本体１０の内層は、プラスチック材質または金属材質からなり、そして前記外層は、前記内層の材質に対して異なる材質からなることを説明する。
【００１４】
また、その内、前記接合部２４に凸部２４１を有し、また前記被嵌部材３０に前記凸部２４１に合致する凹溝３２を有することで、前記被嵌部材３０を前記内筒２０に嵌入させることにより、前記凹溝３２を前記凸部２４１に係止させる。本例において開示された凸部２４１と凹溝３２との両者の間は、環状の係合形態に構成されてもよく（図２を参照）、非環状の係合形態に構成されてもよい（図面を省略）。
【００１５】
図３、図４に示すように、本例において、前記広口端２２の外ネジ山２３が前記広口端２２の外縁に位置し、また前記タンブラー用蓋４０の内ネジ山４２が前記タンブラー用蓋４０の周壁４１の内縁に位置することで、前記広口端２２と前記タンブラー用蓋４０とを相互に合致させる。
【００１６】
図３〜図６に示すように、前記タンブラー用蓋４０の中心から下向きに突起ブロック４３が突き出されることにより、前記広口端２２と前記タンブラー用蓋４０とを相互に合致させるとき、前記突起ブロック４３を介して液体流出を防止する。
【００１７】
図３、図７に示すように、本例において、前記タンブラー本体１０の内栓部１３がねじ込み式（図３を参照）または旋回係止式（図７を参照）である場合、相対的に前記被嵌部材３０の外栓部３１が前記内栓部１３に合致する。
【００１８】
上記の構造組立形態と技術的特徴によれば、本考案に係る組合せ内筒の保温容器は、構造の実際応用上、まず、前記被嵌部材３０を前記内筒２０に係止してから、前記内筒２０を前記タンブラー本体１０に組み付け、最後に前記タンブラー用蓋４０を前記内筒２０の広口端２２に螺締し、また前記タンブラー本体１０が二重層態樣（保温と保冷効果を有する）であると共に、前記内筒２０の接合部２４と前記被嵌部材３０の環凹溝３２とを相互係止することにより、前記被嵌部材３０の外栓部３１と前記タンブラー本体１０の内栓部１３との組み付けを可能にし、これにより前記タンブラー本体１０と前記内筒２０との間に温度影響を受けて生じる熱による膨張や冷却による収縮の問題が発生しても、依然として前述の両者の間で組み合わせる相対位置が変わらないまま、従って堅固性を大幅に向上させることを図っているものである。さらに、本考案に係る組合せ内筒の保温容器は、前記内筒２０の広口端２２の下方に接合部２４が設けられることにより、前記接合部２４の環状凸部２４１と前記被嵌部材３０の環凹溝３２との相互係止を可能にし、これにより前記内筒２０と前記タンブラー本体１０との間の間隙を前記環状凸部２４１の下方に移動させることで、前記内筒２０の広口端２２を飲用者の口部と接触させ、雑菌繁殖と隠れ汚れが生じにくくなり、従って清浄度を大幅に向上させること、及び安全衛生を大幅に向上させることを図っているものである。
【００１９】
図５〜図６に示す本考案の第１実施形態のように、前記広口端２２のネジ山２３が前記広口端２２の内縁に位置し、また前記タンブラー用蓋４０のネジ山４２が前記タンブラー用蓋４０の突起ブロック４３の外縁に位置することで、前記突起ブロック４３の外縁が前記タンブラー用蓋４０の周壁４１の内縁と接触していないことで、前記広口端２２と前記タンブラー用蓋４０とを相互に合致させる。
【００２０】
（なお、図３中の「４」は構成要素符号ではなく、破線で囲んだ円に対して付けられた番号であり、この番号で示す範囲を例示する一部拡大図を図４に示す。図５中の「６」は構成要素符号ではなく、破線で囲んだ円に対して付けられた番号であり、この番号で示す範囲を例示する一部拡大図を図６に示す。）
【符号の説明】
【００２１】
１０    タンブラー本体
１１    格納空間
１２    開放端
１３    内栓部
２０    内筒
２１    受容空間
２２    広口端
２３    外ネジ山
２４    接合部
２４１  凸部
３０    被嵌部材
３１    外栓部
３２    凹溝
４０    タンブラー用蓋
４１    周壁
４２    内ネジ山
４３    突起ブロック
【図１】
0003228050.tif 000003
【図２】
0003228050.tif 000004
【図３】
0003228050.tif 000005
【図４】
0003228050.tif 000006
【図５】
0003228050.tif 000007
【図６】
0003228050.tif 000008
【図７】
0003228050.tif 000009